(57)【特許請求の範囲】
【請求項１】
水道メータの一次側若しくは二次側の共通管部分に設けられた元水抜止水栓と、
この元水抜止水栓の二次側水道管から分岐して家屋内の分岐先にそれぞれ水栓金具が取り付けられた複数の分配管に個別に設けられた複数の水抜栓と、
前記複数の分配管の近傍でそれぞれ気温を検知する複数の気温検知手段と、
前記複数の水栓金具の近傍でそれぞれ明るさを検知する複数の明るさ検知手段と、
前記複数の分配管の近傍でそれぞれ前記複数の水栓金具の不使用時間を検知する複数の不使用時間検知手段と、
前記元水抜止水栓及び前記複数の水抜栓をそれぞれ駆動する複数の駆動部と、
前記複数の気温検知手段、前記複数の明るさ検知手段及び前記複数の不使用時間検知手段からの検知信号に基づいて、所定の気温以下で且つ前記水栓金具の近傍が所定の明るさ以下で前記水栓金具が所定時間よりも長い期間使用されない時に、前記複数の駆動部を制御して、該所定時間よりも長い期間使用されない前記水栓金具に対応する前記水抜栓に水抜きを行わせると共に、前記不使用時間検知手段からの検知信号に基づいて前記水栓金具の全てが前記所定時間よりも長い期間使用されない時には、前記元水抜止水栓に水抜きを行わせる制御手段と
を備えたことを特徴とする水抜きシステム。
【請求項２】
水道メータの一次側若しくは二次側の共通管部分に設けられた元水抜止水栓と、
この元水抜止水栓の二次側水道管から分岐して家屋内の分岐先にそれぞれ水栓金具が取り付けられた複数の分配管に個別に設けられた複数の水抜栓と、
前記複数の分配管の近傍でそれぞれ気温を検知する複数の気温検知手段と、
前記複数の分配管の近傍でそれぞれ前記複数の水栓金具の不使用時間を検知する複数の不使用時間検知手段と、
前記元水抜止水栓及び前記複数の水抜栓をそれぞれ駆動する複数の駆動部と、
前記複数の気温検知手段及び前記複数の不使用時間検知手段からの検知信号に基づいて、所定の気温以下で前記水栓金具が所定時間よりも長い期間使用されない時に、前記複数の駆動部を制御して、該所定時間よりも長い期間使用されない前記水栓金具に対応する前記水抜栓に水抜きを行わせると共に、前記不使用時間検知手段からの検知信号に基づいて前記水栓金具の全てが前記所定時間よりも長い期間使用されない時には、前記元水抜止水栓に水抜きを行わせる制御手段と
を備えたことを特徴とする水抜きシステム。
【請求項３】
請求項１または２記載の水抜きシステムにおいて、前記駆動部を電磁弁としたことを特徴とする水抜きシステム。
【請求項４】
請求項１、２または３記載の水抜きシステムにおいて、前記長期を数１０時間の長時間、前記所定時間を数時間の短時間としたことを特徴とする水抜きシステム。
【請求項５】
請求項１、２、３または４記載の水抜きシステムにおいて、
前記共通管部分に設けられ水流停止時間を検知する水流停止時間検知手段を備え、
前記制御手段は前記水流停止時間検知手段からの検知信号に基づいて、前記共通管部分の水流停止が前記水栓金具に対応する前記水抜栓に水抜きを行わせる時間以上となった場合に前記元水抜止水栓に水抜きを行わせる
ことを特徴とする水抜きシステム。
【発明の詳細な説明】
【０００１】
【発明の属する技術分野】
本発明は水の凍結による水栓金具及び水道管の破裂を防ぐ水抜きシステムに関する。
【０００２】
【従来の技術】
従来より、外気温がマイナスの気温になる所、特に寒冷地では、水の凍結による水栓金具及び水道管の破裂を避けるために、不凍栓が立上り管毎に設けられ、外気温がマイナスの気温になったときに手動で不凍栓を操作して家屋内の台所、洗面所、トイレ、風呂場等の水栓金具から立上り管の根元付近までに溜っている水を不凍栓により抜いている。ここに、不凍栓は、水抜栓とも言う。
【０００３】
しかし、手動で不凍栓を操作することは面倒であるので、スイッチの投入により駆動部で不凍栓を開閉操作する電動方式が用いられるようになってきた。また、水道本管と家屋との間の水道管配管部分には水道メータが設けられており、この近傍にメータ止水栓を設けて外気温がマイナスの気温になったときにメータ止水栓を操作してメータ止水栓の二次側全体の水抜きを行うことにより、水道管内の水の凍結を防止しているものもある。メータ止水栓は、手動で操作するものや、スイッチの投入により駆動部で操作するものがある。
【０００４】
実開昭６４ー５３５８０号公報及び実公昭５９ー２２１２号公報には、水抜き機能を有する不凍栓の例が記載されている。特開平７ー２９８６８０号公報には、スイッチの投入により水抜栓を制御する水抜栓駆動用モータの制御回路が記載されている。特開昭６１ー２６２２７５号公報には、水温センサの凍結予想温度検知により不凍栓を水抜状態に切換える不凍栓の遠隔自動制御装置において、前記水温センサと一体に組み込んだ水検知センサと、前記水温センサの凍結予想温度検知により不凍栓を水抜したときから一定時間後、前記水検知センサが水検知をしたときに異常警報を発生する制御手段を備えたことを特徴とする不凍栓の遠隔自動制御装置が記載されている。
【０００５】
【発明が解決しようとする課題】
上記不凍栓やメータ止水栓で水抜きを行う場合には、手動で操作したり、スイッチの投入により駆動部で操作したりするので、人手が必要で自動的に操作することができず、水の凍結による水栓金具及び水道管の破裂を確実に防止することができなかった。また、別荘等で時々しか使用しない家屋に設けられている不凍栓やメータ止水栓は、家屋の長期住人不在時には水抜き機能を十分に働かせられずに水の凍結による水栓金具及び水道管の破裂事故が発生していた。
【０００６】
また、上記不凍栓の遠隔自動制御装置では、不凍栓を自動的に制御しているが、各不凍栓を個別に制御しているので、複数の不凍栓のいずれかが故障して該不凍栓に対応する水道管及び水栓金具が水の凍結により破損すると、全ての水栓金具及び水道管の水の凍結による破裂や水びたし等につながるおそれがある。
本発明は、水の凍結による水栓金具及び水道管の破裂を確実に防止することができる水抜きシステムを提供することを目的とする。
【０００７】
【課題を解決するための手段】
上記目的を達成するため、請求項１に係る発明は、水道メータの一次側若しくは二次側の共通管部分に設けられた元水抜止水栓と、この元水抜止水栓の二次側水道管から分岐して家屋内の分岐先にそれぞれ水栓金具が取り付けられた複数の分配管に個別に設けられた複数の水抜栓と、前記複数の分配管の近傍でそれぞれ気温を検知する複数の気温検知手段と、前記複数の水栓金具の近傍でそれぞれ明るさを検知する複数の明るさ検知手段と、前記複数の分配管の近傍でそれぞれ前記複数の水栓金具の不使用時間を検知する複数の不使用時間検知手段と、前記元水抜止水栓及び前記複数の水抜栓をそれぞれ駆動する複数の駆動部と、前記複数の気温検知手段、前記複数の明るさ検知手段及び前記複数の不使用時間検知手段からの検知信号に基づいて、所定の気温以下で且つ前記水栓金具の近傍が所定の明るさ以下で前記水栓金具が所定時間よりも長い期間使用されない時に、前記複数の駆動部を制御して、該所定時間よりも長い期間使用されない前記水栓金具に対応する前記水抜栓に水抜きを行わせると共に、前記不使用時間検知手段からの検知信号に基づいて前記水栓金具の全てが前記所定時間よりも長い期間使用されない時には、前記元水抜止水栓に水抜きを行わせる制御手段とを備えたものである。
【０００９】
請求項２に係る発明は、水道メータの一次側若しくは二次側の共通管部分に設けられた元水抜止水栓と、この元水抜止水栓の二次側水道管から分岐して家屋内の分岐先にそれぞれ水栓金具が取り付けられた複数の分配管に個別に設けられた複数の水抜栓と、前記複数の分配管の近傍でそれぞれ気温を検知する複数の気温検知手段と、前記複数の分配管の近傍でそれぞれ前記複数の水栓金具の不使用時間を検知する複数の不使用時間検知手段と、前記元水抜止水栓及び前記複数の水抜栓をそれぞれ駆動する複数の駆動部と、前記複数の気温検知手段及び前記複数の不使用時間検知手段からの検知信号に基づいて、所定の気温以下で前記水栓金具が所定時間よりも長い期間使用されない時に、前記複数の駆動部を制御して、該所定時間よりも長い期間使用されない前記水栓金具に対応する前記水抜栓に水抜きを行わせると共に、前記不使用時間検知手段からの検知信号に基づいて前記水栓金具の全てが前記所定時間よりも長い期間使用されない時には、前記元水抜止水栓に水抜きを行わせる制御手段とを備えたものである。
【００１０】
請求項３に係る発明は、請求項１または２記載の水抜きシステムにおいて、前記駆動部を電磁弁としたものである。
【００１１】
請求項４に係る発明は、請求項１、２または３記載の水抜きシステムにおいて、前記長期を数１０時間の長時間、前記所定時間を数時間の短時間としたものである。
【００１２】
請求項５に係る発明は、請求項１、２、３または４記載の水抜きシステムにおいて、前記共通管部分に設けられ水流停止時間を検知する水流停止時間検知手段を備え、前記制御手段は前記水流停止時間検知手段からの検知信号に基づいて、前記共通管部分の水流停止が前記水栓金具に対応する前記水抜栓に水抜きを行わせる時間以上となった場合に前記元水抜止水栓に水抜きを行わせるものである。
【００１３】
【発明の実施の形態】
図１及び図２は本発明の第１実施形態を示し、図３はこの第１実施形態の各センサの検知動作、コントローラの判断動作、各水栓の状態検知と駆動の関係を示す。なお、図３において、丸印は第１実施形態の各センサと水栓の駆動部とを示し、各丸印の間の線はセンサからの検知信号により水栓の駆動部が動作することを示す。この第１実施形態は、水栓金具、不凍栓（水抜栓）及びメータ用止水栓の３つの水栓を総合的に制御することにより、水抜き処理を確実に行うものである。水道本管１からサドル分水栓２により分岐された水道管３は水道メータ４が取り付けられ、この水道メータ４の一次側に元水抜止水栓としてのメータ用止水栓５が設けられる。このメータ用止水栓５は、水道メータ４を交換する時に水道管３内の水を止めておくもので、通常の水抜機能がないものとは異なり、止水機能と水抜機能を有する。
【００１４】
メータ用止水栓５の止水機能と水抜機能は、図示しないが、水栓５ａと水抜栓５ｂからなる。駆動部としての電磁弁６は、制御手段としてのコントローラ７により制御されて開閉し、水栓５ａと水抜栓５ｂを開閉させる。電磁弁６とメータ用止水栓５とは連動関係にあるが、電磁弁６をメータ用止水栓５に含ませるようにしてもよい。メータ用止水栓５は、手動で水抜機能を止めることが可能であり、水道メータ４の交換時に余計な水の流出を防ぐことができる。
【００１５】
水道管３は水道メータ４の二次側で複数に分岐されて複数の分配管８１，８２，８３・・・となり、これらの分配管８１，８２，８３・・・は家屋９内の台所、風呂場、トイレ等の水栓金具１０１，１０２，１０３・・・に接続される。各分配管８１，８２，８３・・・における立上り部８１ａ，８２ａ，８３ａ・・・の根元付近にはそれぞれ不凍栓１１１，１１２，１１３・・・が設けられ、この不凍栓１１１，１１２，１１３・・・はそれぞれ止水機能と水抜機能を有する。
【００１６】
不凍栓１１１，１１２，１１３・・・の止水機能と水抜機能は、図示しないが、水栓１１１ａ，１１２ａ，１１３ａ・・・と水抜栓１１１ｂ，１１２ｂ，１１３ｂ・・・からなる。駆動部としての電磁弁１２１，１２２，１２３・・・は、コントローラ７により制御されて開閉し、水栓１１１ａ，１１２ａ，１１３ａ・・・と水抜栓１１１ｂ，１１２ｂ，１１３ｂ・・・を開閉させる。
【００１７】
電磁弁１２１，１２２，１２３・・・と不凍栓１１１，１１２，１１３・・・とは連動関係にあるが、電磁弁１２１，１２２，１２３・・・は不凍栓１１１，１１２，１１３・・・に含ませるようにしてもよい。各立上り部８１ａ，８２ａ，８３ａ・・・の水栓金具１０１，１０２，１０３・・・付近にはそれぞれ吸気弁１５１，１５２，１５３・・・が設けられる。この吸気弁１５１，１５２，１５３・・・は、それぞれ水抜栓５ｂ，１１１ｂ，１１２ｂ，１１３ｂ・・・が閉じて立上り部８１ａ，８２ａ，８３ａ・・・の水圧が高い時には閉じ、水抜栓５ｂ，１１１ｂ，１１２ｂ，１１３ｂ・・・が開いて立上り部８１ａ，８２ａ，８３ａ・・・の水圧が低い時には開いて外部から立上り部８１ａ，８２ａ，８３ａ・・・内へ空気を送り込む。
【００１８】
各分配管８１，８２，８３・・・の近傍の屋外、例えば家屋９の外側の立上り管８１ａ，８２ａ，８３ａ・・・には気温検知手段としての外気温センサＳ１，Ｓ２，Ｓ３・・・が個別に取り付けられ、これらの外気温センサＳ１，Ｓ２，Ｓ３・・・は立上り管８１ａ，８２ａ，８３ａ・・・の所で外気温を検知する。また、家屋９の内部における水栓金具１０１，１０２，１０３・・・の近傍には、明るさ（光）を検知する明るさ検知手段としての照度センサＳ１１，Ｓ１２，Ｓ１３・・・と、分配管８１，８２，８３・・・の近傍でそれぞれ水栓金具１０１，１０２，１０３・・・の不使用時間（最後に使用してからの経過時間）を検知する不使用時間検知手段としての不使用時間検知センサＳ２１，Ｓ２２，Ｓ２３・・・が設置される。
【００１９】
不使用時間検知センサＳ２１，Ｓ２２，Ｓ２３・・・は、例えば立上り管８１ａ，８２ａ，８３ａ・・・内の水の流量を検知する流量計と、この流量計の出力信号により立上り管８１ａ，８２ａ，８３ａ・・・内の水が流れている（使用されている）時にリセットされて立上り管８１ａ，８２ａ，８３ａ・・・内の水流が停止している時間を検知するタイマとからなる。
【００２０】
不使用時間検知センサＳ２１，Ｓ２２，Ｓ２３・・・はそれぞれ水栓金具１０１，１０２，１０３・・・を最後に使用してからの経過時間が比較的短期（数時間の短時間）、例えば２時間未満か２時間以上かを検知し、また、水栓金具１０１，１０２，１０３・・・を最後に使用してからの経過時間が例えば長期（数１０時間の長時間）、例えば４８時間未満か４８時間以上かを検知する。
【００２１】
コントローラ７は家屋９内の適当な位置に設置され、コントローラ７、各センサ及び各電磁弁と結線してあり、各電磁弁の電源としてリチウム電池等の電池が用いられる。コントローラ７は、外気温センサＳ１，Ｓ２，Ｓ３・・・からの検知信号、照度センサＳ１１，Ｓ１２，Ｓ１３・・・からの検知信号、不使用時間検知センサＳ２１，Ｓ２２，Ｓ２３・・・からの検知信号が入力されて電磁弁６、１２１，１２２，１２３・・・を図４に示すように制御する。
【００２２】
すなわち、コントローラ７は、まず、電磁弁６、１２１，１２２，１２３・・・を全て開いて全ての水栓５ａ、１１１ａ，１１２ａ，１１３ａ・・・を開き、全ての水抜栓５ｂ、１１１ｂ，１１２ｂ，１１３ｂ・・・を閉じる。従って、全ての水栓金具１０１，１０２，１０３・・・で水を普通に使用することができる。
【００２３】
コントローラ７は、ステップＳＴ１で不使用時間検知センサＳ２１，Ｓ２２，Ｓ２３・・・からの検知信号より水栓金具１０１，１０２，１０３・・・を各々最後に使用してからの経過時間Ｔ1が全て設定時間Ｚ0（４８時間）より大きくなったか否かを判断し、水栓金具１０１，１０２，１０３・・・を各々最後に使用してからの経過時間Ｔ1が全て設定時間Ｚ0（４８時間）より大きくなった時にはステップＳＴ２で電磁弁６を閉じて水栓５ａを閉じ、水抜栓５ｂを開く。したがって、水道管３における不凍栓５の二次側及び分配管８１，８２，８３・・・の内部の水が水抜栓５ｂより抜かれ、水道管３における不凍栓５の二次側及び分配管８１，８２，８３・・・、水栓金具１０１，１０２，１０３・・・の凍結及び破裂が防止される。
【００２４】
水栓金具１０１，１０２，１０３・・・を各々最後に使用してからの経過時間Ｔ1が全て設定時間Ｚ0（４８時間）より大きくなった時には家屋９が長期にわたって住人不在となるので、コントローラ７は、ステップＳＴ２で各センサや各電磁弁の電源を遮断して処理を中止する。これは、特に家屋９が別荘のように長期にわたって住人不在となった場合に有効である。
【００２５】
また、コントローラ７は、ステップＳＴ３で外気温センサＳ１からの検知信号より分配管８１の近傍の外気温ＴＥ1が設定気温Ｙ0（０℃以下、例えば−５℃）であるか否かを判断すると共に、照度センサＳ１１からの検知信号より水栓金具１０１の近傍の明かるさ（照度）ＯＰ1が設定照度Ｘ0以下になったか否かを判断し、分配管８１の近傍の外気温ＴＥ1が設定気温Ｙ0以下になると同時に水栓金具１０１の近傍の明かるさ（照度）ＯＰ1が設定照度Ｘ0以下になった時には水栓金具１０１による給水操作がなされないものとみなしてステップＳＴ４で電磁弁１２１を閉じて水栓１１１ａを閉じ、水抜栓１１１ｂを開く。したがって、分配管８１の内部の水が水抜栓１１１ｂより抜かれ、分配管８１、水栓金具１０１の凍結及び破損が防止される。
【００２６】
コントローラ７は、ステップＳＴ５で外気温センサＳ２からの検知信号より分配管８２の近傍の外気温ＴＥ2が設定気温Ｙ0以下であるか否かを判断すると共に、照度センサＳ１２からの検知信号より水栓金具１０２の近傍の明かるさ（照度）ＯＰ2が設定照度Ｘ0以下になったか否かを判断し、分配管８２の近傍の外気温ＴＥ2が設定気温Ｙ0以下になると同時に水栓金具１０２の近傍の明かるさ（照度）ＯＰ2が設定照度Ｘ0以下になった時には水栓金具１０２による給水操作がなされないものとみなしてステップＳＴ６で電磁弁１２２を閉じて水栓１１２ａを閉じ、水抜栓１１２ｂを開く。したがって、分配管８２の内部の水が水抜栓１１２ｂより抜かれ、分配管８２、水栓金具１０２の凍結及び破損が防止される。
【００２７】
コントローラ７は、ステップＳＴ７で外気温センサＳ３からの検知信号より分配管８３の近傍の外気温ＴＥ3が設定気温Ｙ0以下であるか否かを判断すると共に、照度センサＳ１３からの検知信号より水栓金具１０３の近傍の明かるさ（照度）ＯＰ3が設定照度Ｘ0以下になったか否かを判断し、分配管８３の近傍の外気温ＴＥ3が設定気温Ｙ0以下になると同時に水栓金具１０３の近傍の明かるさ（照度）ＯＰ3が設定照度Ｘ0以下になった時には水栓金具１０３による給水操作がなされないものとみなしてステップＳＴ８で電磁弁１２３を閉じて水栓１１３ａを閉じ、水抜栓１１３ｂを開く。したがって、分配管８３の内部の水が水抜栓１１３ｂより抜かれ、分配管８３、水栓金具１０３の凍結及び破損が防止される。
以下同様にコントローラ７は、各電磁弁、水栓、水抜栓の制御を水栓金具毎に個々に行う。
【００２８】
コントローラ７は、ステップＳＴ９で外気温センサＳ１からの検知信号より分配管８１の近傍の外気温ＴＥ1が設定気温Ｙ0以下であるか否かを判断すると共に、不使用時間検知センサＳ２１からの検知信号より水栓金具１０１を最後に使用してからの経過時間Ｔ21が設定時間Ｕ（２時間）より大きくなったか否かを判断し、分配管８１の近傍の外気温ＴＥ1が設定気温Ｙ0以下になると同時に水栓金具１０１を最後に使用してからの経過時間Ｔ21が設定時間Ｕ（２時間）より大きくなった時には水栓金具１０１による給水操作がなされないものとみなしてステップＳＴ１０で電磁弁１２１を閉じて水栓１１１ａを閉じ、水抜栓１１１ｂを開く。したがって、分配管８１の内部の水が水抜栓１１１ｂより抜かれ、分配管８１、水栓金具１０１の凍結及び破損が防止される。
【００２９】
コントローラ７は、ステップＳＴ１１で外気温センサＳ２からの検知信号より分配管８２の近傍の外気温ＴＥ2が設定気温Ｙ0以下であるか否かを判断すると共に、不使用時間検知センサＳ２２からの検知信号より水栓金具１０２を最後に使用してからの経過時間Ｔ22が設定時間Ｕ（２時間）より大きくなったか否かを判断し、分配管８２の近傍の外気温ＴＥ2が設定気温Ｙ0以下になると同時に水栓金具１０２を最後に使用してからの経過時間Ｔ22が設定時間Ｕ（２時間）より大きくなった時には水栓金具１０２による給水操作がなされないものとみなしてステップＳＴ１２で電磁弁１２２を閉じて水栓１１２ａを閉じ、水抜栓１１２ｂを開く。したがって、分配管８２の内部の水が水抜栓１１２ｂより抜かれ、分配管８２、水栓金具１０２の凍結及び破損が防止される。
【００３０】
コントローラ７は、ステップＳＴ１３で外気温センサＳ３からの検知信号より分配管８３の近傍の外気温ＴＥ3が設定気温Ｙ0以下であるか否かを判断すると共に、不使用時間検知センサＳ２３からの検知信号より水栓金具１０３を最後に使用してからの経過時間Ｔ23が設定時間Ｕ（２時間）より大きくなったか否かを判断し、分配管８３の近傍の外気温ＴＥ3が設定気温Ｙ0以下になると同時に水栓金具１０３を最後に使用してからの経過時間Ｔ23が設定時間Ｕ（２時間）より大きくなった時には水栓金具１０２による給水操作がなされないものとみなしてステップＳＴ１４で電磁弁１２３を閉じて水栓１１３ａを閉じ、水抜栓１１３ｂを開く。したがって、分配管８３の内部の水が水抜栓１１３ｂより抜かれ、分配管８３、水栓金具１０３の凍結及び破損が防止される。
【００３１】
コントローラ７は、上記ステップＳＴ１，ＳＴ３，ＳＴ５，ＳＴ７・・・ＳＴ９，ＳＴ１１，ＳＴ１３・・・の条件が成立しなくなった場合には、ステップＳＴ１５において全ての電磁弁６、１２１，１２２，１２３・・・を開いて全ての水栓５ａ、１１１ａ，１１２ａ，１１３ａ・・・を開き、全ての水抜栓５ｂ、１１１ｂ，１１２ｂ，１１３ｂ・・・を閉じて全ての水栓金具１０１，１０２，１０３・・・による給水を可能とする。
【００３２】
本発明の第２実施形態は、上記第１実施形態において、不使用時間検知センサＳ２１，Ｓ２２，Ｓ２３・・・を屋外に配置したものである。本発明の第３実施形態は、上記第１実施形態において、水道管３における水道メータ４の二次側部分に元水抜止水栓としての不凍栓と、この不凍栓を駆動する駆動部としての電磁弁とを設け、この電磁弁をコントローラ７で電磁弁６と同様に制御するようにしたものである。
【００３３】
上記第１実施形態乃至第３実施形態で、カテップＳＴ３とＳＴ９、ＳＴ５とＳＴ１１、ＳＴ７とＳＴ１３の満足によりセンサＳ１０、Ｓ１２、Ｓ１４としたのが、請求項１に係る発明の一実施形態であり、水道メータ４の一次側若しくは二次側の共通管部分に設けられた元水抜止水栓としてのメータ用止水栓５と、この元水抜止水栓５の二次側水道管から分岐して家屋内の分岐先にそれぞれ水栓金具１０１，１０２，１０３・・・が取り付けられた複数の分配管８１，８２，８３・・・に個別に設けられた複数の水抜栓１１１，１１２，１１３・・・と、前記複数の分配管８１，８２，８３・・・の近傍でそれぞれ気温を検知する複数の気温検知手段としての外気温センサＳ１，Ｓ２，Ｓ３・・・と、前記複数の水栓金具１０１，１０２，１０３・・・の近傍でそれぞれ明るさを検知する複数の明るさ検知手段としての照度センサＳ１１，Ｓ１２，Ｓ１３・・・と、前記複数の分配管８１，８２，８３・・・の近傍でそれぞれ前記複数の水栓金具１０１，１０２，１０３・・・の不使用時間を検知する複数の不使用時間検知手段としての不使用時間検知センサＳ２１，Ｓ２２，Ｓ２３・・・と、前記元水抜止水栓５及び前記複数の水抜栓１１１，１１２，１１３・・・をそれぞれ駆動する複数の駆動部としての電磁弁６，１２１，１２２，１２３・・・と、前記複数の気温検知手段Ｓ１，Ｓ２，Ｓ３・・・、前記複数の明るさ検知手段Ｓ１１，Ｓ１２，Ｓ１３・・・及び前記複数の不使用時間検知手段Ｓ２１，Ｓ２２，Ｓ２３・・・からの検知信号に基づいて前記複数の駆動部６，１２１，１２２，１２３・・・を制御して前記家屋９の長期住人不在時に前記元水抜止水栓５に水抜きを行わせると共に、所定の気温以下で且つ前記水栓金具の近傍が所定の明るさ以下で前記水栓金具が所定時間以上使用されない時に該所定時間以上使用されない前記水栓金具に対応する前記水抜栓に水抜きを行わせる制御手段としてのコントローラ７とを備えたので、日常は個々の水抜栓を無駄無く制御することができ、水栓金具の長期不使用時には元水抜止水栓で水抜きを行って個々の水栓に故障が出てもカバーできる。
【００３４】
従って、水の凍結による水栓金具及び水道管の破裂を確実に防止することができ、複数の水抜栓のいずれかが故障しても、全ての水栓金具及び水道管の水の凍結による破裂や水びたし等を防ぐことができる。また、元水抜止水栓を止めた際にセンサ等の電源を遮断することにより、省電力化を図ることができる。
【００３５】
本発明の第４実施形態は、上記第１実施形態において、コントローラ７がステップＳＴ９からステップＳＴ１５直前までの処理を行わないようにしたものである。
【００３６】
この第４実施形態は、水道メータ４の一次側若しくは二次側の共通管部分に設けられた元水抜止水栓としてのメータ用止水栓５と、この元水抜止水栓５の二次側水道管から分岐して家屋内の分岐先にそれぞれ水栓金具１０１，１０２，１０３・・・が取り付けられた複数の分配管８１，８２，８３・・・に個別に設けられた複数の水抜栓１１１，１１２，１１３・・・と、前記複数の分配管８１，８２，８３・・・の近傍でそれぞれ気温を検知する複数の気温検知手段としての外気温センサＳ１，Ｓ２，Ｓ３・・・と、前記複数の水栓金具１０１，１０２，１０３・・・の近傍でそれぞれ明るさを検知する複数の明るさ検知手段としての照度センサＳ１１，Ｓ１２，Ｓ１３・・・と、前記複数の分配管８１，８２，８３・・・の近傍でそれぞれ前記複数の水栓金具１０１，１０２，１０３・・・の不使用時間を検知する複数の不使用時間検知手段としての不使用時間検知センサＳ２１，Ｓ２２，Ｓ２３・・・と、前記元水抜止水栓５及び前記複数の水抜栓１１１，１１２，１１３・・・をそれぞれ駆動する複数の駆動部としての電磁弁６，１２１，１２２，１２３・・・と、前記複数の気温検知手段Ｓ１，Ｓ２，Ｓ３・・・、前記複数の明るさ検知手段Ｓ１１，Ｓ１２，Ｓ１３・・・及び前記複数の不使用時間検知手段Ｓ２１，Ｓ２２，Ｓ２３・・・からの検知信号に基づいて前記複数の駆動部６，１２１，１２２，１２３・・・を制御して前記家屋９の長期住人不在時に前記元水抜止水栓５に水抜きを行わせると共に、所定の気温以下で前記水栓金具の近傍が所定の明るさ以下の時に該近傍が所定の明るさ以下の前記水栓金具に対応する前記水抜栓に水抜きを行わせる制御手段としてのコントローラ７とを備えたので、日常は個々の水抜線を無駄無く制御することができ、水栓金具の長期不使用時には元水抜止水栓で水抜きを行って個々の水栓に故障が出てもカバーできる。
【００３７】
従って、水の凍結による水栓金具及び水道管の破裂を確実に防止することができ、複数の水抜栓のいずれかが故障しても、全ての水栓金具及び水道管の水の凍結による破裂や水びたし等を防ぐことができる。また、元水抜止水栓を止めた際にセンサ等の電源を遮断することにより、省電力化を図ることができる。
【００３８】
本発明の第５実施形態は、上記第１実施形態において、コントローラ７がステップＳＴ３からステップＳＴ９直前までの処理を行わないようにしたものである。
【００３９】
この第５実施形態は、請求項２に係る発明の一実施形態であり、水道メータ４の一次側若しくは二次側の共通管部分に設けられた元水抜止水栓としてのメータ用止水栓５と、この元水抜止水栓５の二次側水道管から分岐して家屋内の分岐先にそれぞれ水栓金具１０１，１０２，１０３・・・が取り付けられた複数の分配管８１，８２，８３・・・に個別に設けられた複数の水抜栓１１１，１１２，１１３・・・と、前記複数の分配管８１，８２，８３・・・の近傍でそれぞれ気温を検知する複数の気温検知手段としての外気温センサＳ１，Ｓ２，Ｓ３・・・と、前記複数の分配管８１，８２，８３・・・の近傍でそれぞれ前記複数の水栓金具１０１，１０２，１０３・・・の不使用時間を検知する複数の不使用時間検知手段としての不使用時間検知センサＳ２１，Ｓ２２，Ｓ２３・・・と、前記元水抜止水栓５及び前記複数の水抜栓１１１，１１２，１１３・・・をそれぞれ駆動する複数の駆動部としての電磁弁６，１２１，１２２，１２３・・・と、前記複数の気温検知手段Ｓ１，Ｓ２，Ｓ３・・・及び前記複数の不使用時間検知手段Ｓ２１，Ｓ２２，Ｓ２３・・・、Ｓ３１，Ｓ３２，Ｓ３３・・・からの検知信号に基づいて前記複数の駆動部６，１２１，１２２，１２３・・・を制御して前記家屋９の長期住人不在時に前記元水抜止水栓５に水抜きを行わせると共に、所定の気温以下で前記水栓金具が所定時間以上使用されない時に該所定時間以上使用されない前記水栓金具に対応する前記水抜栓に水抜きを行わせる制御手段としてのコントローラ７とを備えたので、日常は個々の水抜線を無駄無く制御することができ、水栓金具の長期不使用時には元水抜止水栓で水抜きを行って個々の水栓に故障が出てもカバーできる。
【００４０】
従って、水の凍結による水栓金具及び水道管の破裂を確実に防止することができ、複数の水抜栓のいずれかが故障しても、全ての水栓金具及び水道管の水の凍結による破裂や水びたし等を防ぐことができる。また、元水抜止水栓を止めた際にセンサ等の電源を遮断することにより、省電力化を図ることができる。
【００４１】
上記第１実施形態乃至第５実施形態は、請求項３に係る発明の一実施形態であり、請求項１または２記載の水抜きシステムにおいて、前記駆動部６，１２１，１２２，１２３・・・を電磁弁としたので、駆動部を電池で駆動することができ、ＡＣ電源が不要で信号線のみ配線すればよい。
【００４２】
上記第１実施形態乃至第５実施形態は、請求項４に係る発明の一実施形態であり、請求項１、２または３記載の水抜きシステムにおいて、前記長期を数１０時間の長時間、前記所定時間を数時間の短時間としたので、請求項１、２または３記載の水抜きシステムと同様な効果が得られる。
【００４３】
本発明の他の各実施形態では、上記各実施形態において、それぞれ図５に示すように流量計１３及びタイマ１４からなる水流停止時間検知手段としての水流停止時間検知センサが設けられる。流量計１３は水道管３における水道メータ４の二次側に設けられて水道管３内の水の流量を検知し、タイマ１４は流量計１３の出力信号により水道管３内の水が流れている（使用されている）時にリセットされて水道管３内の水流が停止している時間を検知する。コントローラ７はタイマ１４からの検知信号により水道管３内の水流停止時間がＺ0以上となった時にはステップＳＴ２と同様に電磁弁６を閉じて水栓５ａを閉じ、水抜栓５ｂを開く。
【００４４】
従って、水道管３における水抜栓５の二次側及び分配管８１，８２，８３・・・の内部の水が水抜栓５ｂより抜かれ、水道管３における水抜栓５の二次側及び分配管８１，８２，８３・・・、水栓金具１０１，１０２，１０３・・・の凍結及び破損防止の制御を二重に行うことができる。なお、流量計１３を用いると、水道管３内の水の過流量が長時間、例えば３０分続いたことを検出することもできる。
【００４５】
これらの実施形態は、請求項５に係る発明の一実施形態であり、請求項１、２、３または４記載の水抜きシステムにおいて、前記共通管部分に設けられ水流停止時間を検知する水流停止時間検知手段としての流量計１３及びタイマ１４を備え、前記制御手段としてのコントローラ７は前記水流停止時間検知手段からの検知信号に基づいて、前記共通管部分の水流停止が所定時間以上となった場合に前記元水抜止水栓に水抜きを行わせるので、水道管における水抜栓の二次側及び分配管、水栓金具の凍結及び破損防止の制御を二重に行うことができる。
【００４６】
本発明の別の各実施形態は、上記各実施形態において、コントローラ７がステップＳＴ２で電磁弁６を閉じるだけでなく電磁弁１２１，１２２，１２３・・・を閉じて水栓５ａ，１１１ａ，１１２ａ，１１３ａ・・・を閉じ、水抜栓５ｂ，１１１ｂ，１１２ｂ，１１３ｂ・・・を開く。また、本発明の他の各実施形態は、上記各実施形態において、コントローラ７がステップＳＴ２で電磁弁６を閉じることなく電磁弁１２１，１２２，１２３・・・を閉じて水栓１１１ａ，１１２ａ，１１３ａ・・・を閉じ、水抜栓１１１ｂ，１１２ｂ，１１３ｂ・・・を開く。尚、請求項２に係る発明の場合、請求項１に係る発明よりも所定の気温を−１０℃のように低くし、また、所定の時間を３０分のように短くするものも有効である。
【００４７】
【発明の効果】
以上のように請求項１に係る発明によれば、上記構成により、水の凍結による水栓金具及び水道管の破裂を確実に防止することができ、複数の水抜栓のいずれかが故障しても、全ての水栓金具及び水道管の水の凍結による破裂や水びたし等を防ぐことができる。
【００４９】
請求項２に係る発明によれば、上記構成により、水の凍結による水栓金具及び水道管の破裂を確実に防止することができ、複数の水抜栓のいずれかが故障しても、全ての水栓金具及び水道管の水の凍結による破裂や水びたし等を防ぐことができる。
また、日常は個々の水抜栓を無駄無く制御することができ、水栓金具の長期不使用時は元水抜止水栓で水抜きを行って個々の水栓に故障が出てもカバーできる。
【００５０】
請求項３に係る発明によれば、上記構成により、駆動部を電池で駆動することができ、ＡＣ電源が不要で信号線のみ配線すればよい。
【００５１】
請求項４に係る発明によれば、上記構成により、請求項１、２または３記載の水抜きシステムと同様な効果が得られる。
【００５２】
請求項５に係る発明によれば、上記構成により、水道管における水抜栓の二次側及び分配管、水栓金具の凍結及び破損防止の制御を二重に行うことができる。
【図面の簡単な説明】
【図１】本発明の第１実施形態を示す概略図である。
【図２】同第１実施形態の概略を示す斜視図である。
【図３】同第１実施形態の各センサの検知動作、コントローラの判断動作、各水栓の状態検知と駆動の関係を示す図である。
【図４】同第１実施形態におけるコントローラの処理フローを示すフローチャートである。
【図５】本発明の他の実施形態の一部を示す概略図である。
【符号の説明】
５      元水抜止水栓
６，１２１，１２２，１２３      電磁弁
７      コントローラ７
１３      流量計
１４      タイマ
８１，８２，８３      水道管
１０１，１０２，１０３      水栓金具
１１１，１１２，１１３      水抜栓
Ｓ１，Ｓ２，Ｓ３      外気温センサ
Ｓ１１，Ｓ１２，Ｓ１３      照度センサ
Ｓ２１，Ｓ２２，Ｓ２３      不使用時間検知センサ
【図１】
0004187117.tif 000002
【図２】
0004187117.tif 000003
【図３】
0004187117.tif 000004
【図４】
0004187117.tif 000005
【図５】
0004187117.tif 000006